(57)【要約】【課題】商品用包装材に包装された商品と同様の品物へ名入れを所望する場合において、商品への名入れ状態を的確にイメージできるようにする。【解決手段】商品を包装する包装材に、前記商品を実物大で印刷した商品印刷部を設け、前記商品における名入れが可能な領域を、前記印刷部に窓部として形成することにより、前記商品印刷部の裏側に配した印刷物を前記窓部から表示させ、前記商品印刷部と前記印刷物とを組み合わせて商品に名入れを施したイメージを呈する。【選択図】図３
2010265003.tif 000002
【特許請求の範囲】
【請求項１】
商品を包装する包装材に、前記商品を実物大で印刷した商品印刷部を設け、前記商品における名入れが可能な領域を、前記印刷部に窓部として形成することにより、前記商品印刷部の裏側に配した印刷物を前記窓部から表示させ、前記商品印刷部と前記印刷物とを組み合わせて商品に名入れを施したイメージを呈する商品用包装材。
【発明の詳細な説明】
【技術分野】
【０００１】
本発明は、商品を包装する商品用包装材に係り、特に筆記具等の小物商品を店舗の陳列棚のフックバーに設置されたフックに吊下げて販売するのに好適な包装材に関する。
【背景技術】
【０００２】
従来より筆記具などの小物商品は、多くの人に使われる機会が多いことから、商品の表面に企業名や企業ロゴ等の印刷いわゆる名入れを施して、ノベルティとして利用されることが多い。しかし商品に名入れを施した完成状態を、イメージとして的確に掴むことは難しく、さらに筆記具のように表面積が小さく形態的にも多種多様あるものでは、商品ごとに名入れができる部位や範囲が特に限定されており、筆記具の名入れスペースに対して目的とする名入れ文字の寸法が適合するかどうか、あるいはその完成状態が目的に見合っているかどうかを予め確認することが難しかった。
【０００３】
ところで筆記具等の小物商品は、商品を包装材で包装して展示することが多く、包装材として、プラスチックフィルム製の包装袋、あるいは透明樹脂シートからなるブリスタ部材と台紙とを組み合わせたブリスタパックがよく利用されている。尚、包装された商品は、包装材に設けた吊下孔をフックに吊下げて販売することが多い。
【０００４】
例えば、実開平４−６８８３７号公報には前記プラスチックフィルム製の包装袋が記載されており、特開２００３−２２１０６６号公報には前記のブリスタパックが記載されているが、このような包装材は、輸送や店舗で商品を販売している時には商品を保護する役目があるが、購入者が購入して商品を取り出した後は一般的にゴミ扱いとなる。
【特許文献１】実開平４−６８８３７号公報
【特許文献２】特開２００３−２２１０６６号公報
【発明の開示】
【発明が解決しようとする課題】
【０００５】
本発明では、商品を包装している包装材に着眼し、包装材に包装された当該商品と同様の品物へ名入れを所望する場合に、商品への名入れ状態を的確にイメージできるようにすることを目的とした。
【課題を解決するための手段】
【０００６】
本発明は「商品を包装する包装材に、前記商品を実物大で印刷した商品印刷部を設け、前記商品における名入れが可能な領域を、前記印刷部に窓部として形成することにより、前記商品印刷部の裏側に配した印刷物を前記窓部から表示させ、前記商品印刷部と前記印刷物とを組み合わせて商品に名入れを施したイメージを呈する商品用包装材」である。
【０００７】
本発明における包装材は、プラスチックフィルム製の包装袋あるいはブリスタパックなどで、好適には陳列棚のフックへ吊下げられるよう吊下孔を設けるとよい。また包装材に設ける商品印刷部は、包装材の内部に収容した商品と実物大で印刷した商品写真あるいは商品イラストであり、また商品印刷部に設ける窓部は、包装材の透明性を利用した透明部あるいは包装材の一部を切り欠いた開口部とし、商品印刷部と共に当該商品印刷部の裏側に配した印刷物を組み合わせて視認できるものとする。尚、透明な包装材に商品印刷部を設ける場合には、商品印刷部を、当該商品印刷部の裏側に配した印刷物が窓部以外の印刷部に位置しときにも薄く透ける程度の印刷状態にすることで、当該商品印刷部の裏側に配した印刷物の位置合わせが行いやすいものとなる。
【発明の効果】
【０００８】
本発明によれば、通常ゴミとして扱われる包装材を利用して、商品に名入れをした状態を実寸大で的確にイメージすることが可能となる。またさらに、商品印刷部を包装材の裏面側に設けることで、包装材を裏返しにして陳列棚のフックへ吊下げてしまった時にも、どんな商品が当該包装材に入っているのか見分けることができ、陳列状態を整理する際に作業性がよいものとできる。
【図面の簡単な説明】
【０００９】
【図１】図１は実施例１の包装袋に商品を入れて陳列棚のフックへ吊下げた状態の図である。
【図２】図２は実施例１の包装袋から商品を抜き取る状態を裏面側から見た図である。
【図３】図３は実施例１の包装袋を用いて名入れ状態を確認する時の図である。
【図４】図４は実施例２のブリスタパックに商品を入れて陳列棚のフックへ吊下げた状態の図である。
【図５】図５は実施例２のブリスタパックの構造を示す分解図である。
【図６】図６は実施例２のブリスタパックの台紙を用いて名入れ状態を確認する時の図である。
【図７】図７は名入れ状態を確認した後に、商品に名入れを行った完成状態を示す図である。
【図８】図８は実施例１の包装袋を陳列棚のフックに裏返しに吊下げた状態を示す図である。
【図９】図９は実施例２のブリスタパックを陳列棚のフックに裏返しに吊下げた状態を示す図である。
【発明を実施するための形態】
【００１０】
商品への名入れ状態を的確にイメージすることができる商品包装材を実現した。
【実施例】
【００１１】
次に図面を参照しながら本発明における第一の実施例について説明を行う。図１は実施例１の包装袋に商品を入れて陳列棚のフックへ吊下げた状態の図である。包装袋１は、透明な樹脂シートを袋状に成形したもので、内部にボールペン１０を収容してある。包装袋１は、ボールペン１０を収容する袋部２と熱溶着した溶着部３とで区画した吊下部を有し、吊下部４に設けた吊下孔５に、陳列棚のフックバー１００に掛止させたフック１０１の引掛部１０２を挿通させて包装袋１を吊下げてある。本実施例では、袋部２の表シート２ａの中央に、内部のボールペン１０が視認できる雲形の透明部２ｂが形成されるように、不透明の装飾印刷部２ｃを透明部２ｂの外周に設けてある。尚、表シート２ａの下端部は裏側に折返してボールペン１０が袋部２から抜け落ちないようにしてある。
【００１２】
図２は包装袋から商品を抜き取る状態を裏面側から見た図である。包装袋１は、表シート２ａの下端部から延設した折返部２ｄの接着部６を、裏シート２ｅから剥がして、袋部２に収容したボールペン１０を下方から抜き取ることができる。本実施例では、袋部２の裏シート２ｅに、ボールペン１０の実物大である商品イラスト２ｆを印刷で設けてあり、ボールペン１０の実際に名入れを行うことができる領域を透明窓２ｇとすることにより、表シート２ａの透明部２ｂと裏シート２ｅの透明窓２ｇとで包装袋１の表裏を透視できるようにしてある。また本実施例では、商品イラスト２ｆの隣に説明書２ｈを印刷してあり、吊下部４にバーコード２ｉを印刷してある。
【００１３】
次に、包装袋に収容してあるボールペン１０と同様の商品に名入れを行った状態をイメージする際の作業について説明を行う。図３は実施例１の包装袋を用いて名入れ状態を確認する時の図である。図３に示すように名入れ状態の確認を行う名刺２００には、企業のロゴ２００ａが印刷物として記載されている。この名刺２００を、包装袋１の商品イラスト２ｆの透明窓２ｇにロゴ２００ａが位置するようにして名入れ状態の確認を行うことができた。
【００１４】
次に図面を参照しながら本発明における第二の実施例について説明を行う。図４は実施例２にのブリスタパックに商品を入れて陳列棚のフックへ吊下げた状態の図である。ブリスタパック１１は、透明樹脂シートからなるブリスタ部材１２の表面板１２ａに形成した収容部１２ｂへボールペン１０を収容し、表面板１２ａの両側辺に形成した折返部１２ｃ間に、厚紙からなる台紙１３を装着してある。また、本実施例ではブリスタ部材１２の折返部１２ｃに設けた切欠１２ｄに、台紙１３の両側辺に設けた爪部１３ａを係止させて抜け止めとしてある。またブリスタ部材１２および台紙１３の上部には、吊下孔１２ｅおよび吊下孔１３ｂを設けてあり、陳列棚のフックバー１００に掛止させたフック１０１の引掛部１０２を挿通させてブリスタパック１１を吊下げてある。図５はブリスタパックの構造を示す分解図である。図に示すように台紙１３には開口窓１３ｃを設けてある。
【００１５】
次に、ブリスタパックに収容してあるボールペン１０と同様の商品に名入れした状態をイメージする際の作業について説明を行う。図６は実施例２のブリスタパックを用いて名入れ状態を確認する時の図である。図６に示すようにブリスタ部材から外した台紙１３の裏面１３ｄには、ボールペン１０の実物大である商品イラスト１３ｅを印刷で設けてあり、ボールペン１０の実際に名入れを行うことができる領域を穿孔して開口窓１３ｃ（図５を参照）としてある。また本実施例では、商品イラスト１３ｅの隣に説明書１３ｆを印刷してあり、吊下孔１３ｂの下方にバーコード１３ｇを印刷してある。本実施例でも前述の実施例１と同様の名刺２００にて、台紙１３の商品イラスト１３ｅの開口窓１３ｃに、ロゴ２００ａが位置するようにして名入れ状態の確認を行うことができた。
【００１６】
図７は前述の実施例１や実施例２で名入れ状態を確認した後に、商品に名入れを行った現物を示す斜視図である。図７に示すように、名入れ確認状態（図３，図６参照）と実際に仕上るものとに大きな違いが生じないことから、名入れの発注に失敗することがなかった。
【００１７】
図８は実施例１で示した商品の隣のフックに、他の商品が吊下がった状態の図である。図９は実施例２で示したブリスタパックに入れた商品の隣のフックに、他の商品が吊下がった状態の図である。図８，図９では、手前の包装袋１およびブリスタパック１１が裏返しに吊下げられているが、いずれも裏面に印刷された商品イラスト２ｆ，１３ｅによって、裏返しであっても商品を区別することができた。
【産業上の利用可能性】
【００１８】
本発明の商品用包装材は、筆記具以外にも、陳列棚のフックに吊下げられる程度の大きさの商品であれば適用させることができる。
【符号の説明】
【００１９】
１…包装袋、
２…袋部、２ａ…表シート、２ｂ…透明部、２ｃ…装飾印刷部、２ｄ…折返部、
２ｅ…裏シート、２ｆ…商品イラスト、２ｇ…透明窓、２ｈ…説明書、
２ｉ…バーコード、
３…溶着部、４…吊下部、５…吊下孔、６…接着部、
１０…ボールペン、
１１…ブリスタパック、
１２…ブリスタ部材、１２ａ…表面板、１２ｂ…収容部、１２ｃ…折返部、
１２ｄ…切欠、１２ｅ…吊下孔、
１３…台紙、１３ａ…爪部、１３ｂ…吊下孔、１３ｃ…開口窓、
１３ｄ…裏面、１３ｅ…商品イラスト、１３ｆ…説明、１３ｇ…バーコード、
１００…フックバー、１０１…フック、１０２…引掛部、
２００…名刺、２００ａ…ロゴ。
【図１】
2010265003.tif 000003
【図２】
2010265003.tif 000004
【図３】
2010265003.tif 000005
【図４】
2010265003.tif 000006
【図５】
2010265003.tif 000007
【図６】
2010265003.tif 000008
【図７】
2010265003.tif 000009
【図８】
2010265003.tif 000010
【図９】
2010265003.tif 000011
【手続補正書】
【提出日】平成21年5月18日(2009.5.18)
【手続補正１】
【補正対象書類名】図面
【補正対象項目名】図６
【補正方法】変更
【補正の内容】
【図６】
2010265003.tif 000012
【手続補正２】
【補正対象書類名】図面
【補正対象項目名】図９
【補正方法】変更
【補正の内容】
【図９】
2010265003.tif 000013